(57)【要約】      （修正有） 【課題】かえしが形成されない針先部を有する釣針でありながら、魚が釣針を捕食してから釣上げるまでの間に、魚の口元から釣針が脱離してしまう、いわゆるバラシを抑制することが出来る釣針を提供する。【解決手段】本体部１１と、本体部の基端部１２に設けられ、釣糸が結線されるアイ部１３と、本体部の先端部に設けられ、かえしが形成されない針先部１５とを有する釣針１０であって、本体部は、シャンク部１６と、シャンク部の先端部側に屈曲形成されたベンド部１７と、ベンド部に屈曲形成され、先端部側に針先部を有する直線状のポイント部１８とを備えた釣針において、ベンド部は、シャンク部の軸線に対して鋭角となるように連設されていると共に、ポイント部は、針先部先端に至るに従って、シャンク部軸方向との間隙が大きくなるように設けられている。【選択図】図１
0003195192.tif 000002
【実用新案登録請求の範囲】
【請求項１】
本体部と、上記本体部の基端部に設けられ、釣糸が結線されるアイ部と、上記本体部の先端部に設けられ、かえしが形成されない針先部とを有する釣針であって、
上記本体部は、シャンク部と、上記シャンク部の先端部側に屈曲形成されたベンド部と、上記ベンド部に屈曲形成され、上記先端部側に針先部を有する直線状のポイント部とを備えた釣針において、
上記ベンド部は、上記シャンク部の軸線に対して鋭角となるように連設されていると共に、上記ポイント部は、上記針先部先端に至るに従って、上記シャンク部軸方向との間隙が大きくなるように設けられていることを特徴とする釣針。
【請求項２】
上記アイ部は、上記シャンク部の軸線に直交すると共に針先部側に突出して設けられていることを特徴とする請求項１に記載の釣針。
【請求項３】
上記基端部には錘部が設けられ、上記アイ部は上記錘部に設けられていることを特徴とする請求項１または２に記載の釣針。
【請求項４】
上記錘部は、略紡錘形状に形成されていることを特徴とする請求項３に記載の釣針。
【考案の詳細な説明】
【技術分野】
【０００１】
本考案は、釣針の改良に関するものである。
【背景技術】
【０００２】
釣りに供する釣針は、釣りの仕掛けや釣り方および対象とする魚種によって種々の形状のものが用いられてきた。近年では、魚が釣り針を捕食してから釣上げるまでの間に、魚の動作や吐き出しにより釣針が脱離してしまい、釣果が得られないという事態を回避するために、針先にかえしと称される突起を設けた形状が広く採用されている。
【０００３】
針先にかえしを設けることにより、水中における魚からの釣針の脱離を抑制することが出来る一方で、釣上げた後に、釣人が釣上げた魚の口元から釣針を外す際には、かえしにより外しにくく、外す動作に時間がかかるため、例えば、魚の捕食が活発となり釣果の上がる限られた時間の中では、効率よく釣りをすることが出来ない場合があった。
【０００４】
上記のような観点から、かえしを設けない釣針であって、且つ水中における魚の口元からの釣針の脱離を抑制することが出来る釣針が要請されていた。
【０００５】
このような観点から本考案者は特許調査を行い、針先にカエシを形成することなく擬餌針全体として「し」字状に形成された擬餌針が特許文献１により開示されていることを確認した。
【０００６】
特許文献１における擬餌針は、カツオの１本釣りを想定して発明されたものである。カツオの１本釣りは通常、竿、糸、擬餌針のみで構成された装備によって行われ、撒き餌などにより海面表層に集まったカツオが擬餌針を捕食した瞬間に一息に竿を引き上げて釣上げる手法である。
【０００７】
上記のような手法の釣り方にあっては、擬餌針を捕食した魚を水中で保持する時間は極端に短いため、擬餌針は、かえしがなく、全体として「し」字状であっても釣果を得ることが出来た。
【０００８】
しかしながら、例えば、釣針にワームなどの疑似餌を装着してリールを用いて海や川の遠方へ向かって投射して行う釣り方においては、魚が掛かってから釣上げるまでの時間が比較的長くなるため、特許文献１のような形状の擬餌針では、魚の口元からの脱離は十分に抑制出来るものではなかった。
【０００９】
また、本体下端に針先部をＶ字型に附した釣針が、特許文献２によって開示されているが、このような観点から考案されたものではなかった。
【特許文献１】特許５１６０３３４号公報
【特許文献２】公開実用新案第昭４８−０８１０７４号公報
【考案の開示】
【考案が解決しようとする課題】
【００１０】
そこで、本考案は、このような従来の要請に基づくものであって、かえしが形成されない針先部を有する釣針でありながら、魚が釣針を捕食してから釣上げるまでの間に、魚の口元から釣針が脱離してしまう、いわゆるバラシを抑制することが出来る釣針を提供することを課題とする。
【課題を解決するための手段】
【００１１】
上記課題を解決するために、請求項１に記載の釣針にあっては、本体部と、上記本体部の基端部に設けられ、釣糸が結線されるアイ部と、上記本体部の先端部に設けられ、かえしが形成されない針先部とを有する釣針であって、上記本体部は、シャンク部と、上記シャンク部の先端部側に屈曲形成されたベンド部と、上記ベンド部に屈曲形成され、上記先端部側に針先部を有する直線状のポイント部とを備えた釣針において、上記ベンド部は、上記シャンク部の軸線に対して鋭角となるように連設されていると共に、上記ポイント部は、上記針先部先端に至るに従って、上記シャンク部軸方向との間隙が大きくなるように設けられていることを特徴とする。
【００１２】
従って、請求項１に記載の釣針にあっては、針先部にはかえしが形成されていないため、かえしが形成された針先に比べて鋭利である。また、魚の口元に釣針が突き刺さり、アイ部に張力が加わっている状態にあっては、本体部における力の支点がシャンク部とベンド部の連接点付近に形成される。
また、針先部が外方に向いていると共に、ポイント部を設けてベンド部から針先までの距離を長めに設定することによって、口の奥ではなく口元に薄く刺さる。従って、魚によって捕食された際には、魚の口元における釣針の突刺点は、針先部からポイント部、ベンド部の順に通って、力の支点となるシャンク部とベンド部の連接点付近へと移行する。
【００１３】
請求項２に記載の釣針にあっては、上記アイ部は、上記シャンク部の軸線に直交すると共に針先部側に突出して設けられていることを特徴とする。
【００１４】
従って、請求項２に記載の釣針にあっては、アイ部に張力が加わっている状態における力の支点の位置は、よりシャンク部に近い位置となる。
【００１５】
請求項３に記載の釣針にあっては、上記基端部には錘部が設けられ、上記アイ部は上記錘部に設けられていることを特徴とする。
【００１６】
請求項４に記載の釣針にあっては、上記錘部は、略紡錘形状に形成されていることを特徴とする。
【００１７】
従って請求項４に記載の釣針にあっては、アイ部に張力が加わっている際の錘部が受ける水中での抵抗を低減することが出来る。
【考案の効果】
【００１８】
請求項１に記載の釣針にあっては、針先部が外方に向いており、且つかえしが形成されておらず鋭利であることより、魚の口元が刺さり易くなる。
釣針が魚により捕食された際には、魚の口元における突刺点は、力の支点となるシャンク部とベンド部の連接点付近へと移行するため、アイ部に張力が加わっている限りは、魚の口元から釣針が脱離することを抑制することが出来る。
また、力の支点から針先部までの間には、ベンド部およびポイント部があることより、力の支点から針先部までの距離を長く保つことが出来るため、より魚の口元から釣針が脱離することを抑制することが出来る。
【００１９】
また、例えば、釣上げ後のようにアイ部に張力が加わっていない場合には、魚の口内奥へと釣針を押し込むことによって、簡単に外すことが出来る。特に、口元に浅く刺さっている場合には、釣針のシャンク部を指で持ち、上記突刺点が針先部に向う方向へと手首を捻るのみで、釣針を魚から外すことが出来る。従って、手返しが良く、限られた時間のなかで効率的に釣りを行うことが出来る。
【００２０】
請求項２に記載の釣針にあっては、力の支点をよりシャンク部側に形成することが出来ることより、力の支点から針先部までの距離を、より長く保つことが出来るため、魚の口元から釣針が脱離することを抑制することが出来る。
【００２１】
請求項３に記載の釣針にあっては、錘部が釣針に一体となって形成されているため、利用者が別途錘を用意する必要がなく、使いやすい釣針を提供することが出来る。
【００２２】
請求項４に記載の釣針にあっては、アイ部に張力が加わっている際の錘部が受ける水中での抵抗を低減することが出来るため、利用者の手や腕にかかる負荷を軽減することができる。
【図面の簡単な説明】
【００２３】
【図１】図１は、本考案に係る釣針の第一の実施の形態を示した平面図である。
【図２】図２は、本考案に係る釣針の第二の実施の形態を示し、基端部に錘部が形成された釣針の平面図である。
【図３】図３は、本考案に係る釣針を、水中において魚が捕食する際の作用を示した概念図であり、（ａ）は捕食時点の様子を、（ｂ）は捕食後の様子を示している。
【考案を実施するための最良の形態】
【００２４】
以下、本考案に係る釣針を実施の形態に基づき、図面を参照して詳細に説明する。
本考案に係る第一の実施の形態の釣針１０は、本体部１１と、上記本体部１１の基端部１２に設けられ、釣糸が結線されるアイ部１３と、上記本体部１１の先端部１４に設けられ、かえしが形成されない針先部１５とを有している。
【００２５】
本体部１１は原材料の鉄鋼線材を所定の長さに切断することにより形成されている。また、針先部１５は、先端に近づくにつれて細径となり、鋭利に形成されている。
【００２６】
上記本体部１１は、シャンク部１６と、上記シャンク部１６の先端部１４側に屈曲形成されたベンド部１７と、上記ベンド部１７に屈曲形成され、上記先端部１４側に針先部１５を有する直線状のポイント部１８とを備えている。
【００２７】
上記シャンク部１６は、直線状に形成されている。上記アイ部１３は、上記シャンク部１６の軸線に直交すると共に針先部１５側に突出して設けられている。
基端部１２は、上記シャンク部１６の軸線に直交するように針先部１５側に９０度に屈曲され、基端部１２に設けられたアイ部１３は、釣糸が結線出来るように鉄鋼線材を円弧状に屈曲して形成されている。
【００２８】
上記ベンド部１７は、上記シャンク部１６の軸線に対して鋭角となるように連設されていると共に、上記ポイント部１８は、上記針先部１５先端に至るに従って、上記シャンク部１６軸方向との間隙が大きくなるように設けられている。
【００２９】
図１に示すように、上記ベンド部１７は、上記シャンク部１６の軸線に対しておよそ７０度の角度に連接され、アイ部１３の方向にわずかに湾曲して形成されている。本考案に係る釣針は、さらに焼入、焼戻、研磨および焼付塗装などの工程を経て製造される。
【００３０】
本考案に係る第二の実施の形態の釣針１９は、第一の実施の形態における釣針１０と同様の構成を有していると共に、図２に示すように、上記基端部１２には錘部２０が設けられ、上記アイ部１３は上記錘部２０に設けられている。また、上記錘部２０は、略紡錘形状に形成されている。錘部２０の材質は鉛である。
【００３１】
以下、本実施の形態に係る釣針１０の作用について図を参照して説明する。本実施の形態に係る釣針１０は、上記ポイント部１８が、上記針先部１５先端に至るに従って、上記シャンク部１６軸方向との間隙が大きくなるように設けられ、該針先部１５が外方に向うように形成されているため、魚の口元２１が刺さり易い。
【００３２】
また、図３（ａ）に示すように、釣針１０は、魚２４によって捕食されて魚の口元２１に突き刺さると、針先部１５は突刺点２２において魚の口元２１を貫通する。釣糸２３によってアイ部１３に張力が加わることにより、魚の口元２１における突刺点２２は、ポイント部１８、ベンド部１７の順に通って、図３（ｂ）に示すように、力の支点２５となるシャンク部１６とベンド部１７の連接点付近へと移行する。従って、アイ部１３に張力が加わっている限りは、魚の口元２１から釣針１０が脱離することを抑制することが出来る。
【００３３】
また、一度捕食した魚２４から釣針１０が脱離するためには、突刺点２２が、針先部１５に達する必要があるが、図３（ｂ）に示すように、力の支点２５から針先部１５までの間には、ベンド部１７およびポイント部１８があることにより、力の支点２５から針先部１５までの距離を長く保つことが出来るため、より魚の口元２１から釣針１０が脱離し難くなる。
【００３４】
一方で、例えば、魚を釣上げた後のようにアイ部１３に張力が加わっていない際には、シャンク部１６を指で掴み、突刺点２２が針先部１５へと移行する方向へ捻るだけで、釣上げた魚より、簡単に釣針１０を外すことが出来る。
【００３５】
上記実施の形態においては、アイ部１３は、線材を円弧状に形成した例を説明したが、これに限定されるものではなく、Ｕ字状に形成されていても良いし、Ｔ字形状に形成されていても良い。
【産業上の利用可能性】
【００３６】
本考案に係る釣針は、釣針として製造販売することにより、既存の釣針の替わりとして広く利用されるものであり、産業上の利用可能性を有している。
【符号の説明】
【００３７】
１０，１９    釣針
１１    本体部
１２    基端部
１３    アイ部
１４    先端部
１５    針先部
１６    シャンク部
１７    ベンド部
１８    ポイント部
２０    錘部
２１    魚の口元
２２    突刺点
２３    釣糸
２４    魚
２５    力の支点
【図１】
0003195192.tif 000003
【図２】
0003195192.tif 000004
【図３】
0003195192.tif 000005